(57)【要約】【課題】アンテナと受信機の間のインピーダンスを整合可能な制御装置を提供する。【解決手段】最大受信強度と最大受信強度に応じた制御値である制御極値が記憶される最大受信強度記憶部３１、最新の受信強度が最大受信強度より大きい場合に、次の制御値を、制御極値に変化値Δを加算した値に決定し、最新の受信強度が最大受信強度より小さく、そのことが直近のｐ個（ｐ≧２）以下の制御値に連続している場合に、次の制御値を、制御極値から変化値Δを減算した値に決定し、最新の受信強度が最大受信強度よりも小さく、そのことが直近のｐ＋１個の制御値に連続している場合に、次の制御値を制御極値に決定する制御値決定部３２、インピーダンス整合回路４に、決定された制御値に応じた出力を行う出力部３３、最大受信強度及び制御極値と更新する最大受信強度蓄積部３４を備える。【選択図】図１
2013145967.tif 000002
【特許請求の範囲】
【請求項１】
アンテナと受信機との間に配設され、制御値に対してインピーダンスを単調増加または単調減少に変化させるインピーダンス整合回路を、前記制御値を用いて制御する制御装置であって、
最大の受信強度である最大受信強度と、当該最大受信強度に応じた制御値である制御極値とが記憶される最大受信強度記憶部と、
最新の制御値に応じた受信強度が最大受信強度よりも大きい場合には、次の制御値を、制御極値に変化値Δを加算した値に決定し、最新の制御値に応じた受信強度が最大受信強度よりも小さく、かつ、そのことが直近のｐ個（ｐは２以上の整数である）以下の制御値について連続している場合には、次の制御値を、制御極値から変化値Δを減算した値に決定し、最新の制御値に応じた受信強度が最大受信強度よりも小さく、かつ、そのことが直近のｐ＋１個の制御値について連続している場合には、次の制御値を制御極値に決定する制御値決定部と、
前記インピーダンス整合回路に、前記制御値決定部が決定した制御値に応じた出力を行う出力部と、
前記受信機における受信強度が最大受信強度以上である場合に、当該受信強度である最大受信強度と、当該最大受信強度に対応する制御値である制御極値とを前記最大受信強度記憶部に蓄積する最大受信強度蓄積部と、を備えた制御装置。
【請求項２】
前記制御値決定部は、最新の制御値に応じた受信強度が最大受信強度である場合には、次の制御値を、変化値Δに係数β（βは１未満の正の実数である）を掛けた値を最新の制御値に加算した値に決定する、請求項１記載の制御装置。
【請求項３】
前記インピーダンス整合回路は、電圧により制御されるものであり、
前記制御値は電圧の値である、請求項１または請求項２記載の制御装置。
【請求項４】
前記出力部は、前記インピーダンス整合回路までの電圧降下に応じて、前記制御値決定部が決定した制御値をｋ倍（ｋは１を超える実数である）して出力する、請求項３記載の制御装置。
【請求項５】
前記インピーダンス整合回路は、前記制御値に応じてインピーダンスを連続的に変化可能であると共に、切替信号に応じてインピーダンスを不連続な段階的に切り替え可能なものであり、
前記制御値決定部は、受信強度があらかじめ決められた第１のしきい値よりも大きい場合に、受信強度が最も大きくなるように、前記インピーダンス整合回路に出力する切替信号を制御する、請求項１から請求項４のいずれか記載の制御装置。
【請求項６】
前記制御値決定部は、受信強度があらかじめ決められた第２のしきい値よりも大きい場合に、受信強度が前記第２のしきい値よりも小さくなるように前記インピーダンス整合回路を制御する、請求項１から請求項５のいずれか記載の制御装置。
【請求項７】
前記インピーダンス整合回路は、前記制御値に応じてインピーダンスを連続的に変化可能であると共に、切替信号に応じてインピーダンスを不連続な段階的に切り替え可能なものであり、
前記制御値決定部は、受信強度があらかじめ決められた第３のしきい値よりも小さい場合に、受信強度が最も大きくなるように、前記インピーダンス整合回路に出力する切替信号を制御する、請求項１から請求項６のいずれか記載の制御装置。
【請求項８】
アンテナと受信機との間に配設され、制御値に対してインピーダンスを単調増加または単調減少に変化させるインピーダンス整合回路と、
前記制御値を用いて前記インピーダンス整合回路を制御する制御装置と、を備えた自動整合回路であって、
前記制御装置は、
最大の受信強度である最大受信強度と、当該最大受信強度に応じた制御値である制御極値とが記憶される最大受信強度記憶部と、
最新の制御値に応じた受信強度が最大受信強度よりも大きい場合には、次の制御値を、制御極値に変化値Δを加算した値に決定し、最新の制御値に応じた受信強度が最大受信強度よりも小さく、かつ、そのことが直近のｐ個（ｐは２以上の整数である）以下の制御値について連続している場合には、次の制御値を、制御極値から変化値Δを減算した値に決定し、最新の制御値に応じた受信強度が最大受信強度よりも小さく、かつ、そのことが直近のｐ＋１個の制御値について連続している場合には、次の制御値を制御極値に決定する制御値決定部と、
前記インピーダンス整合回路に、前記制御値決定部が決定した制御値に応じた出力を行う出力部と、
前記受信機における受信強度が最大受信強度以上である場合に、当該受信強度である最大受信強度と、当該最大受信強度に対応する制御値である制御極値とを前記最大受信強度記憶部に蓄積する最大受信強度蓄積部と、を備えた、自動整合回路。
【請求項９】
アンテナと受信機との間に配設され、制御値に対してインピーダンスを単調増加または単調減少に変化させるインピーダンス整合回路を、前記制御値を用いて制御する制御装置としてコンピュータを機能させるためのプログラムであって、
最大の受信強度である最大受信強度と、当該最大受信強度に応じた制御値である制御極値とが記憶される最大受信強度記憶部にアクセス可能なコンピュータを、
最新の制御値に応じた受信強度が最大受信強度よりも大きい場合には、次の制御値を、制御極値に変化値Δを加算した値に決定し、最新の制御値に応じた受信強度が最大受信強度よりも小さく、かつ、そのことが直近のｐ個（ｐは２以上の整数である）以下の制御値について連続している場合には、次の制御値を、制御極値から変化値Δを減算した値に決定し、最新の制御値に応じた受信強度が最大受信強度よりも小さく、かつ、そのことが直近のｐ＋１個の制御値について連続している場合には、次の制御値を制御極値に決定する制御値決定部、
前記受信機における受信強度が最大受信強度以上である場合に、当該受信強度である最大受信強度と、当該最大受信強度に対応する制御値である制御極値とを前記最大受信強度記憶部に蓄積する最大受信強度蓄積部として機能させるためのプログラム。
【発明の詳細な説明】
【技術分野】
【０００１】
本発明は、アンテナと受信機との間に配設されるインピーダンス整合回路を制御する制御装置等に関する。
【背景技術】
【０００２】
従来、アンテナと受信機との間に配設されるインピーダンス整合回路を制御する方法として、受信周波数帯域情報により、固定的に誘導性・容量性可変素子の値を変化させ、アンテナと受信機との間のインピーダンスを整合させることが提案されている（例えば、特許文献１，２参照）。
【先行技術文献】
【特許文献】
【０００３】
【特許文献１】特開２００８−３０６４２８号公報
【特許文献２】特開２００８−２３６０２０号公報
【発明の概要】
【発明が解決しようとする課題】
【０００４】
しかしながら、上記特許文献１，２の方法では、アンテナ付近に金属や誘電体の物体が近づくことに応じてアンテナインピーダンスが変化することが考慮されない。したがって、そのようなインピーダンス変化の補正を行うことができないという問題があった。
【０００５】
また、送受信機であれば、送信によって定在波比（ＳＷＲ）を測定し、アンテナと受信機との間のインピーダンス整合を行うことが可能である。一方、受信機能のみを有する機器において、送信機能を有するようにして送信を行い、定在波比を測定することは、法に抵触するおそれがあると共に、送信のための余分な回路構成が必要となり、コストの増大を招くことになるという問題があった。また、受信機能のみを有する機器において、受信信号強度レベルを用いてインピーダンス整合を行う場合には、送信機能がないことによって構成を簡略化できる。そのように、送信機能を用いない場合であっても、適切にインピーダンスを整合させることのできる制御方法が望まれていた。
【０００６】
本発明は、上記課題を解決するためになされたものであり、送信機能を用いることなくアンテナと受信機との間のインピーダンスを適切に整合させることができる制御装置等を提供することを目的とする。
【課題を解決するための手段】
【０００７】
上記目的を達成するため、本発明による制御装置は、アンテナと受信機との間に配設され、制御値に対してインピーダンスを単調増加または単調減少に変化させるインピーダンス整合回路を、制御値を用いて制御する制御装置であって、最大の受信強度である最大受信強度と、最大受信強度に応じた制御値である制御極値とが記憶される最大受信強度記憶部と、最新の制御値に応じた受信強度が最大受信強度よりも大きい場合には、次の制御値を、制御極値に変化値Δを加算した値に決定し、最新の制御値に応じた受信強度が最大受信強度よりも小さく、かつ、そのことが直近のｐ個（ｐは２以上の整数である）以下の制御値について連続している場合には、次の制御値を、制御極値から変化値Δを減算した値に決定し、最新の制御値に応じた受信強度が最大受信強度よりも小さく、かつ、そのことが直近のｐ＋１個の制御値について連続している場合には、次の制御値を制御極値に決定する制御値決定部と、インピーダンス整合回路に、制御値決定部が決定した制御値に応じた出力を行う出力部と、受信機における受信強度が最大受信強度以上である場合に、受信強度である最大受信強度と、最大受信強度に対応する制御値である制御極値とを最大受信強度記憶部に蓄積する最大受信強度蓄積部と、を備えたものである。
このような構成により、受信強度が最大受信強度より大きくなったときには変化値Δだけ加算する方向に制御値を変化させ、受信強度が最大受信強度より小さくなったときには変化値Δだけ減算する方向に制御値を変化させることによって、受信強度が大きくなるように制御値を制御することができ、アンテナと受信機との間のインピーダンスを整合させることができるようになる。
【０００８】
また、本発明による制御装置では、制御値決定部は、最新の制御値に応じた受信強度が最大受信強度である場合には、次の制御値を、変化値Δに係数β（βは１未満の正の実数である）を掛けた値を最新の制御値に加算した値に決定してもよい。
このような構成により、受信強度に変化がない場合であっても、制御値を変化させることになり、より受信強度の高くなる制御値を探索することができるようになる。
【０００９】
また、本発明による制御装置では、インピーダンス整合回路は、電圧により制御されるものであり、制御値は電圧の値であってもよい。
このような構成により、簡易な構成により、制御を行うことができるようになる。
【００１０】
また、本発明による制御装置では、出力部は、インピーダンス整合回路までの電圧降下に応じて、制御値決定部が決定した制御値をｋ倍（ｋは１を超える実数である）して出力してもよい。
このような構成により、制御値の電圧降下にも対応することができ、インピーダンス整合回路をすべての範囲で制御することができるようになる。
【００１１】
また、本発明による制御装置では、インピーダンス整合回路は、制御値に応じてインピーダンスを連続的に変化可能であると共に、切替信号に応じてインピーダンスを不連続な段階的に切り替え可能なものであり、制御値決定部は、受信強度があらかじめ決められた第１のしきい値よりも大きい場合に、受信強度が最も大きくなるように、インピーダンス整合回路に出力する切替信号を制御してもよい。
このような構成により、第１のしきい値を適切に設定した場合には、切替信号に応じたインピーダンスの不連続な切り替え時に受信機による復調が不能になる事態を回避することができ、インピーダンスの不連続な段階的な切り替えを適切に行うことができるようになる。
【００１２】
また、本発明による制御装置では、制御値決定部は、受信強度があらかじめ決められた第２のしきい値よりも大きい場合に、受信強度が第２のしきい値よりも小さくなるようにインピーダンス整合回路を制御してもよい。
このような構成により、例えば、増幅器の飽和を回避することができるようになる。
【００１３】
また、本発明による制御装置では、インピーダンス整合回路は、制御値に応じてインピーダンスを連続的に変化可能であると共に、切替信号に応じてインピーダンスを不連続な段階的に切り替え可能なものであり、制御値決定部は、受信強度があらかじめ決められた第３のしきい値よりも小さい場合に、受信強度が最も大きくなるように、インピーダンス整合回路に出力する切替信号を制御してもよい。
このような構成により、第３のしきい値を適切に設定した場合には、適切に復調できていないときに切替信号に応じたインピーダンスの不連続な切り替えを行うことができ、その切り替え時に受信機による復調に影響を与える事態を回避することができる。
【００１４】
また、本発明による自動整合回路は、アンテナと受信機との間に配設され、制御値に対してインピーダンスを単調増加または単調減少に変化させるインピーダンス整合回路と、制御値を用いてインピーダンス整合回路を制御する制御装置と、を備えた自動整合回路であって、制御装置は、最大の受信強度である最大受信強度と、最大受信強度に応じた制御値である制御極値とが記憶される最大受信強度記憶部と、最新の制御値に応じた受信強度が最大受信強度よりも大きい場合には、次の制御値を、制御極値に変化値Δを加算した値に決定し、最新の制御値に応じた受信強度が最大受信強度よりも小さく、かつ、そのことが直近のｐ個（ｐは２以上の整数である）以下の制御値について連続している場合には、次の制御値を、制御極値から変化値Δを減算した値に決定し、最新の制御値に応じた受信強度が最大受信強度よりも小さく、かつ、そのことが直近のｐ＋１個の制御値について連続している場合には、次の制御値を制御極値に決定する制御値決定部と、インピーダンス整合回路に、制御値決定部が決定した制御値に応じた出力を行う出力部と、受信機における受信強度が最大受信強度以上である場合に、受信強度である最大受信強度と、最大受信強度に対応する制御値である制御極値とを最大受信強度記憶部に蓄積する最大受信強度蓄積部と、を備えた、ものである。
【発明の効果】
【００１５】
本発明による制御装置等によれば、送信機能を用いることなくアンテナと受信機との間のインピーダンスを適切に整合させることができる。
【図面の簡単な説明】
【００１６】
【図１】本発明の実施の形態１による制御装置の構成を示すブロック図
【図２】同実施の形態によるインピーダンス整合回路の構成の一例を示す図
【図３】同実施の形態による制御装置の動作を示すフローチャート
【図４】同実施の形態による制御装置の動作を示すフローチャート
【図５】同実施の形態における制御値や受信強度等について説明するための図
【図６】同実施の形態における制御値と受信強度との関係に関する説明図
【図７】同実施の形態における制御に応じた受信強度の変化に関する説明図
【図８】同実施の形態における制御値と受信強度の一例を示す図
【図９】可変キャパシタにおける容量値と電圧との関係の一例を示す図
【図１０】受信強度の時間変化の一例を示す図
【図１１】上記実施の形態におけるコンピュータシステムの外観一例を示す模式図
【図１２】上記実施の形態におけるコンピュータシステムの構成の一例を示す図
【発明を実施するための形態】
【００１７】
以下、本発明による制御装置について、実施の形態を用いて説明する。なお、以下の実施の形態において、同じ符号を付した構成要素及びステップは同一または相当するものであり、再度の説明を省略することがある。
【００１８】
（実施の形態１）
本発明の実施の形態１による制御装置について、図面を参照しながら説明する。本実施の形態による制御装置は、アンテナと受信機との間のインピーダンスを、受信強度を用いて整合させるものである。
【００１９】
図１は、本実施の形態による制御装置３を含む受信システム１００の構成を示すブロック図である。本実施の形態による受信システム１００は、アンテナ１と、受信機２と、自動整合回路５とを備える。自動整合回路５は、制御装置３と、インピーダンス整合回路４とを備える。この受信システム１００は、例えば、移動体に設置されていてもよく、あるいは、そうでなくてもよい。すなわち、アンテナ１、受信機２、制御装置３、インピーダンス整合回路４が移動体に設置されていてもよく、あるいは、そうでなくてもよい。ここで、移動体は、例えば、自動車であってもよく、船であってもよく、電車であってもよく、その他の移動体であってもよい。また、その受信システム１００は、送信機能を有さないものであってもよい。送信機能を有さないとは、例えば、ユーザが操作可能な機能として、送信機能を有さないことであってもよい。また、その受信システム１００は、例えば、デジタルテレビの受信システムであってもよく、その他の受信システムであってもよい。
【００２０】
受信機２は、アンテナ１で受信された受信信号を、インピーダンス整合回路４を介して受け取り、適宜、復調の処理等を行う。その受信機２は、増幅器２１と、フィルタ２２と、復調回路２３と、受信強度取得部２４とを備える。
【００２１】
増幅器２１は、インピーダンス整合回路４からの受信信号を増幅する。
フィルタ２２は、増幅された受信信号に対して、所望の帯域制限を行う。すなわち、フィルタ２２は、復調の対象となる帯域を含む受信信号を復調回路２３に渡す。このフィルタ２２は、例えば、ローパスフィルタであってもよく、ハイパスフィルタであってもよく、バンドパスフィルタであってもよく、あるいは、その他の帯域制限を行うフィルタであってもよい。
【００２２】
復調回路２３は、フィルタ２２により帯域制限の成された受信信号を復調する。復調回路２３は、例えば、受信信号をベースバンド信号等に変換し、情報データに復調する。
受信強度取得部２４は、受信強度を取得する。この受信強度は、例えば、ＲＳＳＩ（Ｒｅｃｅｉｖｅｄ  Ｓｉｇｎａｌ  Ｓｔｒｅｎｇｔｈ  Ｉｎｄｉｃａｔｏｒ）であってもよく、あるいは、その他の受信信号の強度を示す指標であってもよい。本実施の形態では、受信強度がＲＳＳＩである場合について主に説明する。なお、図１では、受信強度取得部２４がフィルタ２２の後段で受信強度を取得する場合について示しているが、そうでなくてもよい。例えば、受信強度取得部２４は、フィルタ２２の前段で受信強度を取得してもよい。
なお、増幅器２１、フィルタ２２、復調回路２３、受信強度取得部２４についてはすでに公知であり、その詳細な説明を省略する。
【００２３】
制御装置３は、制御値を用いてインピーダンス整合回路４を制御するものであり、最大受信強度記憶部３１と、制御値決定部３２と、出力部３３と、最大受信強度蓄積部３４とを備える。
【００２４】
最大受信強度記憶部３１では、最大の受信強度である最大受信強度と、その最大受信強度に応じた制御値である制御極値とが記憶される。最大受信強度記憶部３１において、最大受信強度と、その最大受信強度に対応する制御極値とは、両者の対応が分かるように記憶されていることが好適である。なお、制御値については後述する。また、最大受信強度記憶部３１では、少なくとも最新の最大受信強度と制御極値とが記憶されているのであれば、それ以外の過去の最大受信強度等が記憶されていてもよく、あるいは、そうでなくてもよい。前者の場合には、最新の最大受信強度等を区別可能に記憶されていることが好適である。
【００２５】
最大受信強度記憶部３１で記憶される最大受信強度等は、最大受信強度蓄積部３４によって蓄積されるものである。最大受信強度記憶部３１での記憶は、ＲＡＭ等における一時的な記憶でもよく、あるいは、長期的な記憶でもよい。また、最大受信強度記憶部３１は、所定の記録媒体（例えば、半導体メモリや磁気ディスク、光ディスクなど）によって実現されうる。
【００２６】
制御値決定部３２は、最新の制御値に応じた受信強度と、最大受信強度記憶部３１で記憶されている最大受信強度とを比較し、その比較結果に応じて次の制御値を決定する。その制御値は、インピーダンス整合回路４を制御するための値である。その制御値は、例えば、インピーダンス整合回路４に含まれる素子を制御するためにその素子に入力される信号の値であってもよく、あるいは、その素子における可変対象の値であってもよい。素子を制御するためにその素子に入力される信号の値とは、例えば、その素子が電圧や電流等で制御される場合に、その素子に入力される電圧の値や電流の値等である。また、素子における可変対象の値とは、例えば、素子が可変キャパシタである場合におけるキャパシタンス（容量値）や、素子が可変インダクタである場合におけるインダクタンス等である。本実施の形態では、制御値が、インピーダンス整合回路４に含まれる素子を制御するためにその素子に入力される信号の値である場合について主に説明する。また、制御値決定部３２による具体的な制御方法については、後述する。
【００２７】
出力部３３は、インピーダンス整合回路４に、制御値決定部３２が決定した制御値に応じた出力を行う。ここで、制御値決定部３２が決定する制御値は、情報としての値であり、出力部３３が出力するものは、インピーダンス整合回路４に含まれる素子を制御する物理量（信号）である。物理量とは、例えば、電圧や、電流等である。例えば、出力部３３は、制御値決定部３２が決定した制御値の示す制御電圧を、インピーダンス整合回路４に与えてもよい。なお、出力部３３による出力対象の値と、制御値決定部３２によって決定される制御値とは、同じであってもよく、あるいは、異なっていてもよい。後者の場合としては、例えば、制御値決定部３２がキャパシタンスやインダクタンス等の素子の可変値である制御値を決定し、出力部３３が、素子の可変値がその決定された制御値となるように、出力対象を調整して出力する場合などがある。このように、出力部３３によってインピーダンス整合回路４への出力がなされることによって、インピーダンス整合回路４のインピーダンスが調整されることになる。なお、出力対象が電圧であれば、出力部３３は、制御値に応じた電圧を出力する電圧変換部となる。また、出力対象が電圧である場合に、出力部３３は、インピーダンス整合回路４までの電圧降下に応じて、制御値決定部３２が決定した制御値をｋ倍（ｋは１を超える実数である）して出力してもよく、あるいは、そうでなくてもよい。前者のようにした上で、ｋの値を電圧降下に応じて適切に設定することで、インピーダンス整合回路４において、制御値の示す制御電圧を印加することができるようになる。
【００２８】
最大受信強度蓄積部３４は、受信機２における受信強度が、それまでに最大受信強度記憶部３１に蓄積した最大受信強度以上である場合に、その受信強度である最大受信強度と、その最大受信強度に対応する制御値である制御極値とを最大受信強度記憶部３１に蓄積する。すなわち、最大受信強度蓄積部３４は、最大受信強度記憶部３１における最大受信強度と、制御極値とを適宜、更新する。なお、結果として、最新の最大受信強度と制御極値とが最大受信強度記憶部３１で記憶されるようになるのであれば、最大受信強度蓄積部３４による蓄積方法は問わない。例えば、受信機２における受信強度が、最大受信強度記憶部３１で記憶されている最大受信強度と同じであるが、その受信強度に対応する制御値が、最大受信強度記憶部３１で記憶されている制御極値と異なる場合に、最大受信強度蓄積部３４は、最大受信強度記憶部３１に、その受信強度である最大受信強度と、それに応じた制御値である制御極値との両方を蓄積してもよく、あるいは、制御極値のみを蓄積してもよい。制御極値が同じであり、最大受信強度が異なる場合にも同様である。最大受信強度蓄積部３４は、最大受信強度や制御極値を上書きで蓄積してもよく、あるいは、そうでなくてもよい。
【００２９】
インピーダンス整合回路４は、制御値に応じてインピーダンスを単調増加または単調減少に変化させるものである。なお、インピーダンスを単調増加または単調減少に変化させるとは、アンテナ１が外部の影響（外乱）を受けていない理想状態において、インピーダンスをそのように変化させるという意味である。また、インピーダンスを単調増加または単調減少に変化させるとは、インピーダンスが単調増加または単調減少となる制御値の領域が少なくとも存在する、という意味である。したがって、インピーダンス整合回路４は、制御値の全領域にわたってインピーダンスを単調増加に変化させるものでもよく、制御値の全領域にわたってインピーダンスを単調減少に変化させるものでもよく、制御値の一部の領域においてインピーダンスを単調増加に変化させるものでもよく、制御値の一部の領域においてインピーダンスを単調減少に変化させるものでもよい。また、単調増加は、単調非減少であってもよく、あるいは、そうでなくてもよい。また、単調減少とは、単調非増加であってもよく、あるいは、そうでなくてもよい。図１から明らかなように、このインピーダンス整合回路４は、アンテナ１と受信機２との間に配設され、制御装置３による制御に応じて、両者のインピーダンスを整合させるものである。インピーダンス整合回路４は、例えば、可変容量ダイオード等によって実現される可変キャパシタや、可変インダクタ等を有し、そのキャパシタンス等を変化させることによって受信インピーダンスを変化させる機能を有してもよく、複数のインピーダンスにそれぞれ応じた複数の整合回路をスイッチによって切り替えることによって受信インピーダンスを変化させる機能を有してもよく、あるいは、受信インピーダンスを変化させるその他の構成を有するものであってもよい。なお、インピーダンス整合回路４は、制御値に応じてインピーダンスを連続的に変化可能であるとする。また、インピーダンス整合回路４は、制御値に応じてインピーダンスを連続的に変化可能であると共に、後述する切替信号に応じてインピーダンスを不連続な段階的に切り替え可能なものであってもよい。本実施の形態では、この場合について説明する。なお、制御値に応じてインピーダンスを連続的に変化可能とは、制御値に応じた出力部３３による出力によって、インピーダンスを連続的に変化可能であるという意味である。そのインピーダンスの連続的な変化は、厳密な意味において連続的な変化であってもよく（例えば、可変キャパシタや可変インダクタによって実現されうる）、実質的に連続的な変化とみなすことができる程度の離散的な変化であってもよい（例えば、複数のキャパシタを切り替えることで実現されうる）。後者の場合には、離散的にインピーダンスが変化することになるが、その変化の幅は、上述した「不連続な段階的」なインピーダンスの変化に比べると、連続と言うことができる程度に小さいものであるとする。すなわち、「連続的」と、「不連続な段階的」との違いは、後者の変化の幅の方が、前者の変化の幅に比べて大きい（前者の変化が連続とみなしうる程度に十分大きいことが好適である）ことである。制御値に応じた出力は、例えば、可変キャパシタのキャパシタンスや、可変インダクタのインダクタンスを変化させるものであってもよく、複数のキャパシタを切り替えさせるものであってもよい。ここで、インピーダンス整合回路４は制御値に応じてインピーダンスを連続的に変化可能であったとしても、後述するように、制御値は離散的に制御されるため、実際のインピーダンスは離散的な変化になりうる。また、切替信号は、例えば、インピーダンス整合回路４におけるスイッチを切り替えることにより、使用するインダクタを切り替えるためのものであってもよい。
【００３０】
図２は、インピーダンス整合回路４の一例を示す図である。図２のインピーダンス整合回路４は、ＣＬＣのＴ型の回路構成であり、可変キャパシタ４１，４２と、複数のインダクタ４３〜４６と、複数のインダクタ４３〜４６を切り替えるスイッチ４７とを備える。可変キャパシタ４１，４２のキャパシタンスは、制御値によって制御され、スイッチ４７は、切替信号によって制御される。可変キャパシタ４１，４２は直列に接続されるものであり、本実施の形態では、可変キャパシタ４１がアンテナ１側、可変キャパシタ４２が受信機２側である。また、スイッチ４７は、切替信号に応じて、可変キャパシタ４１，４２の間のノードと、インダクタ４３〜４６のいずれか一つとを接続する。なお、可変キャパシタ４１，４２、インダクタ４３〜４６は、接続されるアンテナ１の対応しなければならない周波数帯域において、インピーダンスの変化に対応することができるように、可変範囲や値が決定される。また、図２で示される回路構成において、可変キャパシタ４１，４２のキャパシタンスを変化させたり、インダクタ４３〜４６を切り替えたりすることによって、受信インピーダンスを変化させることができることは公知である。また、本実施の形態では、図２のインピーダンス整合回路４を有する受信システム１００について主に説明するが、それ以外の回路構成であるインピーダンス整合回路４を用いてもよいことは言うまでもない。例えば、π型のインピーダンス整合回路４を用いてもよい。
【００３１】
なお、インピーダンス整合回路４において、制御値によって制御される素子がＮ個（Ｎは２以上の整数）存在する場合には、制御値決定部３２は、例えば、まず始めに１番目の素子に対する制御値を制御し、その後に２番目の素子に対する制御値を制御し、そのことをＮ個目の素子に対する制御値を制御するまで繰り返してもよい。なお、ｉ番目の素子に対する制御を終了するタイミングは、例えば、制御回数（制御値を更新した回数）が所定の値になったタイミングであってもよく、制御値があまり変化しなくなったタイミングであってもよく、あるいは、その他のタイミングであってもよい。なお、制御値があまり変化しなくなったタイミングとは、例えば、直近のあらかじめ決められた個数の制御値の分散が、所定のしきい値以下となったタイミングであってもよい。
【００３２】
次に、制御値決定部３２による制御値の決定について説明する。アンテナ１から得られる受信電力は時々刻々と変化している。これは、電波そのものの強度の変化と、アンテナ１が周囲環境から受ける影響の結果との両方に起因するものである。受信強度取得部２４は、そのような時々刻々と変化している受信強度を測定している。その受信強度は、送信アンテナと受信アンテナ間が見通し状態においても変化する。例えば、図１０は、地上デジタルテレビ放送の電波を電波塔からの位置を固定し、見通しで測定した結果である。なお、一点鎖線は中央値を示している。図１０から、アンテナ１の位置を固定した場合のように、実空間における理想的な状態であっても受信強度は変化していることが分かる。したがって、周囲環境が変化する場合には、電波の強度そのものの変化と、不整合に起因する変化とを切り分けることは困難である。したがって、制御装置３では、受信強度を常に大きくする制御を行う。それは、次のようにして行われることになる。
【００３３】
制御値決定部３２は、最新の制御値に応じた受信強度が、それ以前の最大受信強度よりも大きい場合には、次の制御値を、制御極値に変化値Δを加算した値に決定する。また、制御値決定部３２は、最新の制御値に応じた受信強度が、それ以前の最大受信強度よりも小さく、かつ、そのことが直近のｐ個（ｐは２以上の整数である）以下の制御値について連続している場合には、次の制御値を、制御極値から変化値Δを減算した値に決定し、最新の制御値に応じた受信強度が、それ以前の最大受信強度よりも小さく、かつ、そのことが直近のｐ＋１個の制御値について連続している場合には、次の制御値を制御極値に決定する。なお、最新の制御値に応じた受信強度が、それ以前の最大受信強度よりも小さく、かつ、そのことが直近のｐ＋２個以上の制御値について連続している場合には、制御値決定部３２は、その連続している回数をｐ＋１で割った余りが０でないときに、次の制御値を、制御極値から変化値Δを減算した値に決定し、その連続している回数をｐ＋１で割った余りが０であるときに、次の制御値を制御極値に決定してもよい。すなわち、制御値決定部３２は、最新の制御値に応じた受信強度が、それ以前の最大受信強度よりも小さいことが１回以上連続しており、その連続回数がｐ＋１の倍数でないときに、次の制御値を、制御極値から変化値Δを減算した値に決定し、その連続回数がｐ＋１の倍数であるときに、次の制御値を制御極値に決定してもよい。また、制御値決定部３２は、最新の制御値に応じた受信強度が、それ以前の最大受信強度である場合には、次の制御値を、変化値Δに係数β（βは１未満の正の実数である）を掛けた値を最新の制御値に加算した値に決定する。ここで、変化値Δは、正の値であってもよく、あるいは、負の値であってもよい。例えば、変化値Δが負の値である場合には、変化値Δの加算は、実質的には減算となり、変化値Δの減算は、実質的には加算となる。なお、変化値Δは、あらかじめ決められている値であってもよく、あるいは、そうでなくてもよい。後者の場合には、例えば、制御の初期段階では、Δの値を大きくし、制御が進むにつれてΔの値を小さくしてもよく、最大受信強度があらかじめ決められたしきい値より小さい場合には、Δの値を大きくし、最大受信強度があらかじめ決められたしきい値より大きい場合には、Δの値を小さくしてもよい。そのようにすることで、より速く探索できると考えられる。なお、変化値Δは当然、０でない値である。また、最新の制御値に応じた受信強度が、それ以前の最大受信強度であるかどうかは、両者が厳密に一致するかどうかを判断することによって行われてもよく、あるいは、両者が所定の誤差の範囲内で一致するかどうかを判断することによって行われてもよい。後者の場合には、両者が厳密には一致していなくても、誤差の範囲内で等しいのであれば、最新の制御値に応じた受信強度が、それ以前の最大受信強度であると判断されることになる。その誤差は、例えば、測定誤差であってもよい。以上のような制御について式で記述すると、次のようになる。
【数１】
2013145967.tif 000003
【００３４】
ここで、ｘｐｏｌｅは、最大受信強度記憶部３１で記憶されている制御極値である。また、ＲＳＳＩ（ｘｊ）は、最新の制御値ｘｊに応じた受信強度である。また、制御値ｘｊの添字のｊは、時間軸におけるｊ番目の制御を示している。また、ＲＳＳＩ（ｘｐｏｌｅ）は、最大受信強度記憶部３１で記憶されている、制御極値ｘｐｏｌｅに応じた最大受信強度である。また、ｘｊ＋１は、次の制御値である。また、ｉは、ＲＳＳＩ（ｘｊ）−ＲＳＳＩ（ｘｐｏｌｅ）＜０が連続している回数である。なお、そのｉは、ＲＳＳＩ（ｘｊ）−ＲＳＳＩ（ｘｐｏｌｅ）＜０が連続しなくなった場合、及び、ＲＳＳＩ（ｘｊ）−ＲＳＳＩ（ｘｐｏｌｅ）＜０がｐ＋１回連続した場合に、クリアされる（ｉ＝０とされる）。例えば、ＲＳＳＩ（ｘｊ−２）−ＲＳＳＩ（ｘｐｏｌｅ）＞０であり、ＲＳＳＩ（ｘｊ−１）−ＲＳＳＩ（ｘｐｏｌｅ）＜０であり、ＲＳＳＩ（ｘｊ）−ＲＳＳＩ（ｘｐｏｌｅ）＜０である場合には、ｉ＝２となる。なお、最大受信強度ＲＳＳＩ（ｘｐｏｌｅ）、及び、制御極値ｘｐｏｌｅは、制御値ｘｊ−１までの制御値に対応した最新の最大受信強度と、それに対応する最新の制御極値である。また、上記式では、受信強度がＲＳＳＩであるとしているが、そうでなくてもよいことは前述の通りである。
【００３５】
上記のように制御する意味について簡単に説明する。この制御では、制御極値を基準として制御値を変化させる。すなわち、最大受信強度の付近で、その最大受信強度よりも大きい受信強度となる制御値を探索することになる。そして、受信強度が増えた場合には、制御極値ｘｐｏｌｅと最大受信強度ＲＳＳＩ（ｘｐｏｌｅ）とを更新し、制御値を制御極値ｘｐｏｌｅからΔだけ増加させる。一方、受信強度が最大受信強度ＲＳＳＩ（ｘｐｏｌｅ）よりも減った場合には、制御値を制御極値ｘｐｏｌｅからΔだけ減少させる。このように、受信強度ＲＳＳＩ（ｘｊ）と最大受信強度ＲＳＳＩ（ｘｐｏｌｅ）との大小に応じて制御値の変化の方向を変えることにより、最大受信強度よりも大きい受信強度となる制御値を制御極値ｘｐｏｌｅの両側において適切に探索できる。また、受信強度が最大受信強度ＲＳＳＩ（ｘｐｏｌｅ）より小さい場合に、ｐ回だけ制御値ｘｐｏｌｅ−Δにおける受信強度が最大受信強度ＲＳＳＩ（ｘｐｏｌｅ）より低いことを確認した上で、方向性を変えている。このことは、受信強度の増加については、要因が何であっても受け入れるが、受信強度の減少については、原因が電波の強度そのものの変化であるのか、不整合によるものであるのか不明であるため、複数回の確認を行った上で、方向性を変えることになる。電波の強度に起因する受信強度の減少である場合には、ｐ回の確認を行っている間に、受信強度が最大受信強度よりも小さくないようになる可能性もありうるからである。また、受信強度が最大受信強度ＲＳＳＩ（ｘｐｏｌｅ）と同じであっても少しずつ制御値を変化させることにより、より大きな受信強度となる制御値を探索することができる。なお、受信強度が最大受信強度ＲＳＳＩ（ｘｐｏｌｅ）と同じである場合の変化は、あまり大きくないことが適切であると考えられるため、βの値は小さいことが好適であると考えられる。したがって、例えば、βは、０．５以下であってもよく、０．０５から０．３の範囲内であってもよく、０．１から０．２の範囲内であってもよい。なお、βがこれらに限定されないことは言うまでもない。また、ｐは、あらかじめ決められている値であってもよく、あるいは、そうでなくてもよい。後者の場合には、例えば、制御の初期段階では、ｐの値を小さくし、制御が進むにつれてｐの値を大きくしてもよい。制御の初期段階では、受信強度の減少は、インピーダンスの不整合に起因する可能性が高いと考えられるからである。
【００３６】
なお、インピーダンス整合回路４が整合させるインピーダンスの範囲に応じて、制御値に適宜、上限と下限とが設けられ、制御装置３は、その範囲内において、制御値を制御するようにしてもよい。具体的には、その制御値の範囲は、インピーダンス整合回路４が整合させるインピーダンスの範囲に応じた、可変キャパシタ４１，４２の設定電圧の範囲であってもよく、可変キャパシタ４１，４２への設定容量値の範囲であってもよく、あるいは、その他の制御対象に関する範囲であってもよい。また、インピーダンス整合回路４は、その制御値の範囲内において、制御値に対してインピーダンスを単調増加または単調減少に変化させるものであってもよい。
【００３７】
また、制御値決定部３２は、受信強度があらかじめ決められた第１のしきい値よりも大きい場合に、受信強度が最も大きくなるように、インピーダンス整合回路４に出力する切替信号を制御してもよい。切替信号による制御を行う場合には、インピーダンスが不連続で変化することになり、受信強度が大きく低下することも想定される。一方、そのように受信強度が低下したとしても復調に問題の生じない範囲となるように、第１のしきい値を適切に設定することによって、切替信号の制御時に復調に問題が生じないようにすることができうる。したがって、第１のしきい値は、切替信号による制御に応じた受信強度の低下によって、復調に問題の生じないレベルの受信強度以上に設定されることが好適である。
【００３８】
また、制御値決定部３２は、受信強度があらかじめ決められた第２のしきい値よりも大きい場合に、受信強度が第２のしきい値よりも小さくなるようにインピーダンス整合回路４を制御してもよい。アンテナ１が強電界下にある場合における増幅器２１の飽和を抑えるために、このような制御を行ってもよい。したがって、第２のしきい値は、それ以上の受信強度となると、受信機２における処理で飽和が発生するレベルに設定されることが好適である。なお、そのレベルは、安全率を考慮して設定されたものであってもよい。その第２のしきい値は、第１のしきい値よりも大きい値である。ここで、受信強度が第２のしきい値よりも小さくなるようにインピーダンス整合回路４を制御するとは、例えば、制御値と受信強度との履歴を用いて、受信強度が第２のしきい値よりも小さい制御値を選択することであってもよく、あらかじめ決められているように制御値を変化させることであってもよく、あるいは、インピーダンス整合回路４においてインピーダンスが不整合となるその他の制御を行うことであってもよい。なお、あらかじめ決められているように制御値を変化させるとは、例えば、その時点の制御値に所定の値（例えば、２Δや３Δ等）を加算したり、減算したりすることであってもよい。また、履歴を用いて受信強度が第２のしきい値よりも小さい制御値を選択する場合には、各制御段階における制御値と受信強度との履歴を記録媒体に蓄積してもよい。
【００３９】
次に、制御装置３の動作について図３のフローチャートを用いて説明する。
（ステップＳ１０１）制御値決定部３２等は、制御値の制御に関する初期設定を行う。その初期設定は、例えば、制御値決定部３２が、制御値の初期値を設定し、出力部３３が、それに応じた出力をインピーダンス整合回路４に行い、最大受信強度蓄積部３４が、その制御値に応じた受信強度である最大受信強度と、その制御値である制御極値とを最大受信強度記憶部３１に蓄積し、その後、制御値決定部３２が、次の制御値（例えば、ｘｐｏｌｅ＋Δ）を設定し、出力部３３が、それに応じた出力をインピーダンス整合回路４に行うことであってもよい。なお、制御値決定部３２は、ＲＳＳＩ（ｘｊ）−ＲＳＳＩ（ｘｐｏｌｅ）＜０が連続している回数を示すカウンタｉを０に設定するものとする。
【００４０】
（ステップＳ１０２）制御値決定部３２は、その時点の受信強度と、最大受信強度記憶部３１で記憶されている最大受信強度との大小を比較する。そして、受信強度が最大受信強度と等しい場合には、ステップＳ１０３に進み、受信強度が最大受信強度よりも大きい場合には、ステップＳ１０６に進み、受信強度が最大受信強度よりも小さい場合には、ステップＳ１１４に進む。
【００４１】
（ステップＳ１０３）最大受信強度蓄積部３４は、その時点の制御値を、制御極値として最大受信強度記憶部３１に蓄積する。
【００４２】
（ステップＳ１０４）制御値決定部３２は、次の制御値を、その時点の制御値にβ×Δを加算したものとする。そして、出力部３３は、インピーダンス整合回路４に、その制御値に応じた出力を行う。その結果、インピーダンス整合回路４におけるインピーダンスが、その制御値の変化分に応じて変化する。
【００４３】
（ステップＳ１０５）制御値決定部３２は、カウンタｉを０に設定する。そして、ステップＳ１０２に戻る。
【００４４】
（ステップＳ１０６）制御値決定部３２は、その時点の受信強度が第２のしきい値より大きいかどうか判断する。そして、受信強度が第２のしきい値より大きい場合には、ステップＳ１１２に進み、そうでない場合には、ステップＳ１０７に進む。
【００４５】
（ステップＳ１０７）制御値決定部３２は、その時点の受信強度を最大受信強度として最大受信強度記憶部３１に蓄積し、その時点の制御値を制御極値として最大受信強度記憶部３１に蓄積する。
【００４６】
（ステップＳ１０８）制御値決定部３２は、次の制御値を、その時点の制御極値にΔを加算したものとする。そして、出力部３３は、インピーダンス整合回路４に、その制御値に応じた出力を行う。その結果、インピーダンス整合回路４におけるインピーダンスが、その制御値の変化分に応じて変化する。
【００４７】
（ステップＳ１０９）制御値決定部３２は、カウンタｉを０に設定する。
【００４８】
（ステップＳ１１０）制御値決定部３２は、その時点の受信強度、すなわち、ステップＳ１０８で制御値の更新された後の受信強度が第１のしきい値よりも大きいかどうか判断する。そして、受信強度が第１のしきい値よりも大きい場合には、ステップＳ１１１に進み、そうでない場合には、ステップＳ１０２に戻る。
【００４９】
（ステップＳ１１１）制御値決定部３２は、切替信号によるインピーダンスの切り替えに関する処理を行う。そして、ステップＳ１０２に戻る。
【００５０】
（ステップＳ１１２）制御値決定部３２は、受信強度が第２のしきい値よりも小さくなるように制御値を選択する。そして、出力部３３は、インピーダンス整合回路４に、その制御値に応じた出力を行う。その結果、インピーダンス整合回路４におけるインピーダンスが、その制御値の変化分に応じて変化する。
【００５１】
（ステップＳ１１３）制御値決定部３２は、カウンタｉを０に設定する。そして、ステップＳ１０２に戻る。
【００５２】
（ステップＳ１１４）制御値決定部３２は、カウンタｉを１だけインクリメントする。
【００５３】
（ステップＳ１１５）制御値決定部３２は、カウンタｉがｐ以下であるかどうか判断する。そして、カウンタｉがｐ以下である場合には、ステップＳ１１６に進み、カウンタｉがｐ＋１である場合には、ステップＳ１１７に進む。
【００５４】
（ステップＳ１１６）制御値決定部３２は、次の制御値を、その時点の制御極値からΔを減算したものとする。そして、出力部３３は、インピーダンス整合回路４に、その制御値に応じた出力を行う。その結果、インピーダンス整合回路４におけるインピーダンスが、その制御値の変化分に応じて変化する。そして、ステップＳ１０２に戻る。
【００５５】
（ステップＳ１１７）制御値決定部３２は、次の制御値を、その時点の制御極値とする。そして、出力部３３は、インピーダンス整合回路４に、その制御値に応じた出力を行う。その結果、インピーダンス整合回路４におけるインピーダンスが、その制御値の変化分に応じて変化する。
【００５６】
（ステップＳ１１８）制御値決定部３２は、カウンタｉを０に設定する。そして、ステップＳ１０２に戻る。
【００５７】
なお、図３のフローチャートにおいて、電源オフや処理終了の割り込みにより処理は終了する。また、図３のフローチャートにおいて、定期的に受信強度と最大受信強度との比較（ステップＳ１０２）を行うようにしてもよい。すなわち、ステップＳ１０５からステップＳ１０２に戻った際に、受信強度の比較のタイミングとなるまで処理待ちを行い、そのタイミングとなってから、ステップＳ１０２の処理を実行するようにしてもよい。
【００５８】
また、図３のフローチャートにおいて、受信強度と第１のしきい値とを比較するタイミングは問わない。例えば、受信強度と第１のしきい値とを比較を、ステップＳ１０６の直後に行ってもよく、あるいは、他のタイミングで行ってもよい。このように、図３のフローチャートには、ある程度の任意性が存在する。
【００５９】
また、図３のフローチャートから分かるように、ある時点の受信強度と最大受信強度との比較は、それ以前に蓄積された最大受信強度との比較によって行われ、その時点の受信強度が最大受信強度であった場合には、その最大受信強度が蓄積され、次回以降の比較において、その最大受信強度が用いられることになる。
【００６０】
図４は、図３のフローチャートにおける、切替信号によるインピーダンスの切り替えの処理（ステップＳ１１１）の詳細を示すフローチャートである。
（ステップＳ２０１）制御値決定部３２は、インピーダンスの切り替えの処理を実行するかどうか判断する。そして、実行する場合には、ステップＳ２０２に進み、実行しない場合には、図３のフローチャートに戻る。なお、制御値決定部３２は、例えば、前回にインピーダンスの切り替えの処理を行ってから所定の期間が経過するまでは、インピーダンスの切り替えの処理を実行しないと判断してもよく、前回にインピーダンスの切り替えの処理を行ってから受信強度が第１のしきい値より小さくなっていない場合には、インピーダンスの切り替えの処理を実行しないと判断してもよく、あるいは、その他の条件に応じて、インピーダンスの切り替えの処理を実行しないと判断してもよい。
【００６１】
（ステップＳ２０２）制御値決定部３２は、カウンタｍを１に設定する。
【００６２】
（ステップＳ２０３）制御値決定部３２は、切替信号を用いて、インピーダンス整合回路４の不連続な段階的なインピーダンスをｍ番目の段階に切り替える。
【００６３】
（ステップＳ２０４）制御値決定部３２は、その時点の受信強度と、その時点のカウンタｍの値とを対応付けて図示しない記録媒体に蓄積する。
【００６４】
（ステップＳ２０５）制御値決定部３２は、カウンタｍを１だけインクリメントする。
【００６５】
（ステップＳ２０６）制御値決定部３２は、インピーダンス整合回路４において、ｍ番目のインピーダンスの段階があるかどうか判断する。そして、ｍ番目のインピーダンスの段階がある場合には、ステップＳ２０３に戻り、そうでない場合には、ステップＳ２０７に進む。
【００６６】
（ステップＳ２０７）制御値決定部３２は、ステップＳ２０４における蓄積結果において、最大の受信強度に対応するカウンタｍの値を特定する。そして、そのカウンタｍの値に応じたインピーダンスの段階となるように、切替信号をインピーダンス整合回路４に出力する。そして、図３のフローチャートに戻る。
【００６７】
次に、本実施の形態による受信システムの動作について、具体例を用いて説明する。この具体例において、まず、制御値の制御について説明する。図５は、制御装置３による制御値の制御に関する動作の一例を示す図である。また、図６は、その動作に応じた制御値と受信強度との関係を示す図である。図５のテーブルにおける１個のレコードは、制御値ｘｊと、その制御値ｘｊに応じた受信強度Ｒｊと、その受信強度と最大受信強度との比較結果と、その比較結果に応じて更新された、あるいは、更新されなかった制御極値及び最大受信強度とを含んでいる。なお、制御極値等の更新のタイミングは黒丸で示している。また、この具体例において、ｐ＝３であり、β＝０．１であるとしている。また、図５は、制御値を変化させても受信強度であるＲＳＳＩが線形に変化しない状態での動作例である。また、この具体例では、各制御段階における制御値と、受信強度とを記録しているものとする。その記録は、例えば、最大受信強度蓄積部３４によって行われてもよく、また、その記録先は、例えば、最大受信強度記憶部３１であってもよい。また、この具体例において、変化値Δ＞０であるとしている。
【００６８】
まず、制御値決定部３２は、制御値を初期値ｘ０に設定する。なお、その初期値は、あらかじめ図示しない記録媒体で記憶されているものを読み出して用いたものである。その制御値ｘ０に応じた受信強度ＲＳＳＩ（ｘ０）はＲ０であるとする。すると、最大受信強度蓄積部３４は、制御値ｘ０と受信強度Ｒ０を、制御極値及び最大受信強度として最大受信強度蓄積部３４に蓄積する。なお、初期値の次の制御値は、＋Δにすると決まっていたとする。すると、制御値決定部３２は、次の制御値ｘ１を、ｘ０＋Δにする。それに応じてインピーダンス整合回路４への出力が更新され、インピーダンスが変更される。また、制御値決定部３２は、受信強度が最大受信強度よりも小さいことが連続している回数を示すカウンタｉを０に設定する。また、制御値決定部３２は、インピーダンスの切り替えの実行を示す実行フラグを「０」に設定する。その実行フラグは、インピーダンスの切り替えが実行された際に「１」に更新されるものとする。そして、実行フラグが「１」である場合には、制御値決定部３２は、受信強度が第１のしきい値より大きくても、インピーダンスの切り替えを実行しないものとする。また、受信強度が第１のしきい値より小さくなったタイミングで、実行フラグは、「０」に更新されるものとする。すなわち、この具体例では、受信強度が第１のしきい値より小さい値から第１のしきい値より大きい値に変化した際に、インピーダンスの切り替えが実行され、それ以外のタイミングでは、インピーダンスの切り替えが行われないことになる。このようにして、初期設定の処理（ステップＳ１０１）が行われる。
【００６９】
次に、制御値決定部３２は、その時点の受信強度Ｒ１と、最大受信強度記憶部３１で記憶されている最大受信強度Ｒ０とを比較する（ステップＳ１０２）。その比較結果がＲ１＜Ｒ０であったとすると、制御値決定部３２は、カウンタｉを「１」に更新する（ステップＳ１１４）。そして、そのカウンタｉの値「１」がｐ（＝３）以下であるため（ステップＳ１１５）、制御値決定部３２は、次の制御値ｘ２を、ｘ０−Δにする（ステップＳ１１６）。それに応じてインピーダンス整合回路４への出力が更新され、インピーダンスが変更される。なお、この場合には、制御極値等は更新されない。
【００７０】
次に、制御値決定部３２は、その時点の受信強度Ｒ２と、最大受信強度記憶部３１で記憶されている最大受信強度Ｒ０とを比較する（ステップＳ１０２）。その比較結果がＲ２＜Ｒ０であったとすると、制御値決定部３２は、カウンタｉを「２」に更新する（ステップＳ１１４）。そして、そのカウンタｉの値「２」がｐ（＝３）以下であるため（ステップＳ１１５）、制御値決定部３２は、次の制御値ｘ３を、ｘ０−Δにする（ステップＳ１１６）。この場合には、インピーダンスが前回と同じとなる。また、制御極値等も更新されない。
【００７１】
次に、制御値決定部３２は、その時点の受信強度Ｒ３と、最大受信強度記憶部３１で記憶されている最大受信強度Ｒ０とを比較する（ステップＳ１０２）。その比較結果がＲ３＜Ｒ０であったとすると、制御値決定部３２は、カウンタｉを「３」に更新する（ステップＳ１１４）。そして、そのカウンタｉの値「３」がｐ（＝３）以下であるため（ステップＳ１１５）、制御値決定部３２は、次の制御値ｘ４を、ｘ０−Δにする（ステップＳ１１６）。この場合にも、インピーダンスが前回と同じとなり、制御極値等も更新されない。
【００７２】
次に、制御値決定部３２は、その時点の受信強度Ｒ４と、最大受信強度記憶部３１で記憶されている最大受信強度Ｒ０とを比較する（ステップＳ１０２）。その比較結果がＲ４＜Ｒ０であったとすると、制御値決定部３２は、カウンタｉを「４」に更新する（ステップＳ１１４）。そして、そのカウンタｉの値「４」がｐ（＝３）より大きいため（ステップＳ１１５）、制御値決定部３２は、次の制御値ｘ５を、ｘ０にする（ステップＳ１１７）。それに応じてインピーダンス整合回路４への出力が更新され、インピーダンスが変更される。また、カウンタｉは「０」に設定される（ステップＳ１１８）。また、この場合にも、制御極値等は更新されない。
【００７３】
次に、制御値決定部３２は、その時点の受信強度Ｒ５と、最大受信強度記憶部３１で記憶されている最大受信強度Ｒ０とを比較する（ステップＳ１０２）。その比較結果がＲ５＝Ｒ０であったとすると、制御値決定部３２は、最大受信強度記憶部３１で記憶されている制御極値をｘ５に更新する（ステップＳ１０３）。ただし、この場合にはｘ０＝ｘ５であるため、実質的な更新ではない。また、制御値決定部３２は、次の制御値ｘ６を、ｘ５＋０．１Δにする（ステップＳ１０４）。それに応じてインピーダンス整合回路４への出力が更新され、インピーダンスが変更される。また、カウンタｉは「０」に設定される（ステップＳ１０５）。
【００７４】
次に、制御値決定部３２は、その時点の受信強度Ｒ６と、最大受信強度記憶部３１で記憶されている最大受信強度Ｒ５（＝Ｒ０）とを比較する（ステップＳ１０２）。その比較結果がＲ６＝Ｒ５であったとすると、制御値決定部３２は、最大受信強度記憶部３１で記憶されている制御極値をｘ６に更新する（ステップＳ１０３）。また、制御値決定部３２は、次の制御値ｘ７を、ｘ６＋０．１Δにする（ステップＳ１０４）。それに応じてインピーダンス整合回路４への出力が更新され、インピーダンスが変更される。また、カウンタｉは「０」に設定される（ステップＳ１０５）。
【００７５】
次に、制御値決定部３２は、その時点の受信強度Ｒ７と、最大受信強度記憶部３１で記憶されている最大受信強度Ｒ６（＝Ｒ５＝Ｒ０）とを比較する（ステップＳ１０２）。その比較結果がＲ７＞Ｒ６であったとすると、制御値決定部３２は、受信強度Ｒ７が第２のしきい値より大きいかどうか判断する（ステップＳ１０６）。この場合には、受信強度Ｒ７が第２のしきい値より大きくなかったとする。すると、制御値決定部３２は、制御値ｘ７と受信強度Ｒ７を、制御極値及び最大受信強度として最大受信強度蓄積部３４に蓄積する（ステップＳ１０７）。また、制御値決定部３２は、次の制御値ｘ８を、ｘ７＋Δにする（ステップＳ１０８）。それに応じてインピーダンス整合回路４への出力が更新され、インピーダンスが変更される。また、カウンタｉは「０」に設定される（ステップＳ１０９）。また、制御値決定部３２は、その時点の受信強度Ｒ８が第１のしきい値より大きいかどうか判断する（ステップＳ１１０）。この場合には、受信強度Ｒ８が第１のしきい値より大きくなかったとする。すると、制御値決定部３２は、インピーダンス整合回路４のインピーダンスの切り替えの処理を行わない。
【００７６】
次に、制御値決定部３２は、その時点の受信強度Ｒ８と、最大受信強度記憶部３１で記憶されている最大受信強度Ｒ７とを比較する（ステップＳ１０２）。その比較結果がＲ８＞Ｒ７であったとすると、制御値決定部３２は、受信強度Ｒ８が第２のしきい値より大きいかどうか判断する（ステップＳ１０６）。この場合には、受信強度Ｒ８が第２のしきい値より大きくなかったとする。すると、制御値決定部３２は、制御値ｘ８と受信強度Ｒ８を、制御極値及び最大受信強度として最大受信強度蓄積部３４に蓄積する（ステップＳ１０７）。また、制御値決定部３２は、次の制御値ｘ９を、ｘ８＋Δにする（ステップＳ１０８）。それに応じてインピーダンス整合回路４への出力が更新され、インピーダンスが変更される。また、カウンタｉは「０」に設定される（ステップＳ１０９）。また、制御値決定部３２は、その時点の受信強度Ｒ９が第１のしきい値より大きいかどうか判断する（ステップＳ１１０）。この場合には、受信強度Ｒ９が第１のしきい値より大きくなかったとする。すると、制御値決定部３２は、インピーダンス整合回路４のインピーダンスの切り替えの処理を行わない。
【００７７】
次に、制御値決定部３２は、その時点の受信強度Ｒ９と、最大受信強度記憶部３１で記憶されている最大受信強度Ｒ８とを比較する（ステップＳ１０２）。その比較結果がＲ９＝Ｒ８であったとすると、制御値決定部３２は、最大受信強度記憶部３１で記憶されている制御極値をｘ９に更新する（ステップＳ１０３）。また、制御値決定部３２は、次の制御値ｘ１０を、ｘ９＋０．１Δにする（ステップＳ１０４）。それに応じてインピーダンス整合回路４への出力が更新され、インピーダンスが変更される。また、カウンタｉは「０」に設定される（ステップＳ１０５）。
【００７８】
次に、制御値決定部３２は、その時点の受信強度Ｒ１０と、最大受信強度記憶部３１で記憶されている最大受信強度Ｒ９（＝Ｒ８）とを比較する（ステップＳ１０２）。その比較結果がＲ１０＜Ｒ９であったとすると、制御値決定部３２は、カウンタｉを「１」に更新する（ステップＳ１１４）。そして、そのカウンタｉの値「１」がｐ（＝３）以下であるため（ステップＳ１１５）、制御値決定部３２は、次の制御値ｘ１１を、ｘ９−Δにする（ステップＳ１１６）。それに応じてインピーダンス整合回路４への出力が更新され、インピーダンスが変更される。なお、この場合には、制御極値等は更新されない。
【００７９】
次に、制御値決定部３２は、その時点の受信強度Ｒ１１と、最大受信強度記憶部３１で記憶されている最大受信強度Ｒ９（＝Ｒ８）とを比較する（ステップＳ１０２）。その比較結果がＲ１１＝Ｒ９であったとすると、制御値決定部３２は、最大受信強度記憶部３１で記憶されている制御極値をｘ１１に更新する（ステップＳ１０３）。また、制御値決定部３２は、次の制御値ｘ１２を、ｘ１１＋０．１Δにする（ステップＳ１０４）。それに応じてインピーダンス整合回路４への出力が更新され、インピーダンスが変更される。また、カウンタｉは「０」に設定される（ステップＳ１０５）。このようにして、制御値が順次、更新されていくことになり、より大きな受信強度が探索されることになる。
【００８０】
ここで、インピーダンスの切り替えの処理について簡単に説明する。図７における期間Ａのように、受信強度が第１のしきい値を超えると、制御値決定部３２は、インピーダンス整合回路４における不連続な段階的なインピーダンスの切り替えの処理を実行する（ステップＳ１１１）。具体的には、制御値決定部３２は、実行フラグが「０」であるため、インピーダンスの切り替えの処理を実行すると判断し（ステップＳ２０１）、１番目のインダクタ４３に切り替える旨の切替信号をインピーダンス整合回路４に渡す（ステップＳ２０２，Ｓ２０３）。すると、インピーダンス整合回路４のスイッチ４７は、インダクタ４３を選択するように切り替える。なお、この場合には、はじめからスイッチ４７がインダクタ４３を選択しており、受信強度に変化はなかったとする。制御値決定部３２は、その時点の受信強度Ｒ１０１と、ｍ＝１とを図示しない記録媒体に蓄積する（ステップＳ２０４）。
【００８１】
次に、制御値決定部３２は、２番目のインダクタ４４に切り替える旨の切替信号をインピーダンス整合回路４に渡す（ステップＳ２０５，Ｓ２０６，Ｓ２０２，Ｓ２０３）。すると、インピーダンス整合回路４のスイッチ４７は、インダクタ４４を選択するように切り替える。そして、制御値決定部３２は、その時点の受信強度Ｒ１０２と、ｍ＝２とを図示しない記録媒体に蓄積する（ステップＳ２０４）。その後、制御値決定部３２は、同様にして、ｍ＝３に対応する受信強度Ｒ１０３と、ｍ＝４に対応する受信強度Ｒ１０４とを図示しない記録媒体に蓄積したとする（ステップＳ２０３〜Ｓ２０６）。そして、蓄積された受信強度Ｒ１０１〜Ｒ１０４のうち、受信強度Ｒ１０１が最も大きかったとする。すると、制御値決定部３２は、受信強度Ｒ１０１に対応する１番目（ｍ＝１）のインダクタ４３に切り替える旨の切替信号をインピーダンス整合回路４に渡す（ステップＳ２０７）。すると、インピーダンス整合回路４のスイッチ４７は、インダクタ４３を選択するように切り替える。また、制御値決定部３２は、実行フラグを「１」に更新する。その結果、その後に受信強度が第１のしきい値より大きいと判断されても（ステップＳ１１０）、実行フラグが「１」であるため、制御値決定部３２は、インピーダンスの切り替えの処理を実行しないことになる（ステップＳ２０１）。なお、その後に受信強度が第１のしきい値以下となった場合には、前述のように、実行フラグが「０」に更新され、その更新後に受信強度が第１のしきい値より大きくなったタイミングでインピーダンスの切り替えの処理が再度、実行されることになる。
【００８２】
ここで、受信強度が第２のしきい値より小さくなるように制御値を制御する処理について簡単に説明する。図７における期間Ｂのように、受信強度が第２のしきい値を超えると、制御値決定部３２は、制御値と、それに応じた受信強度の履歴を参照し、受信強度が第２のしきい値より小さい制御値を選択する（ステップＳ１１２）。それに応じてインピーダンス整合回路４への出力が更新され、インピーダンスが変更される。また、カウンタｉは「０」に設定される（ステップＳ１１３）。なお、図７の期間Ｂで示されるように、受信強度が第２のしきい値より大きくなるたびに、同様の制御が行われることになる。このようにして、受信強度が第２のしきい値を超えて増幅器２１が飽和する事態を回避することができるようになる。
【００８３】
また、制御値の制御と、インピーダンスの切り替えとの処理の実験結果について説明する。図８は、その実験結果を示す図である。この実験では、ケーブルでＲＦ信号を加えて動作させた。また、その実験では、制御回数１〜１００においてインダクタ４３を用い、制御回数１０１〜２００においてインダクタ４４を用い、制御回数２０１〜３００においてインダクタ４５を用い、制御回数３０１〜４００においてインダクタ４６を用いた。また、制御回数１〜４００において、制御値によって可変キャパシタ４２の電圧を制御した。また、制御回数４０１〜５００において、４個のインダクタ４３〜４６のうち、受信強度が最も高かったインダクタ４６を用い、制御値によって可変キャパシタ４１を制御した。また、可変キャパシタ４１に印加する電圧（制御値）の初期値を３．９６（Ｖ）とし、可変キャパシタ４２に印加する電圧の初期値を２１．９３（Ｖ）とし、いずれのキャパシタを制御する際にも、Δを１．３（Ｖ）とした。図８の受信強度（ＲＳＳＩ）のグラフから分かるように、どのインダクタが選択された場合においても、受信強度が大きくなる方向に適切に制御値を設定できていることが分かる。したがって、本実施の形態による制御装置３の制御方法によって、インピーダンス整合回路４のインピーダンスを適切に制御できていることが分かる。
【００８４】
次に、制御値を可変キャパシタ４１，４２に出力する電圧の値とする理由について簡単に説明する。可変キャパシタ４１，４２は、例えば、バラクタダイオードで実現することができるが、そのバラクタダイオードのＣ−Ｖ特性はリニアではないため、制御値を容量値とし、それを可変キャパシタ４１，４２の制御電圧に変換して出力する場合には、その処理が煩雑となる。例えば、図９は、バラクタダイオードのＣ−Ｖ特性の一例を示す図である。前述のように、制御値を容量値とし、それをバラクタダイオードの制御電圧に変換して出力する場合には、バラクタダイオードのＣ−Ｖ特性の近似式（例えば、図９のＤ２やＤ３のグラフ等）を使用することが考えられる。しかしながら、制御値を容量値とした場合には、小さい容量域でのΔに応じたインピーダンスの変化量と、大きい容量域でのΔに応じたインピーダンスの変化量とが大きく異なるため、Δの幅の設定が困難となりうる。すなわち、変化値Δを大きく設定すると、小さい容量域では変化が粗すぎることになり、変化値Δを小さく設定すると、大きい容量域では変化が細かすぎる（変化が緩慢になる）ことになる。このように、制御値を容量値とした場合に適切な変化値Δを設定することは困難であるため（このことは、容量値の制御範囲が広ければ広いほど顕著になる）、制御値を、インピーダンス整合回路４を制御する電圧の値としてもよい。なお、制御値がそれに限定されないことは前述の通りである。
【００８５】
なお、上記説明では、インピーダンス整合回路４がＴ型の整合回路である場合について説明したが、前述のように、そうでなくてもよい。ただし、制御装置３による制御の対象となるインピーダンス整合回路４は、制御値に応じてインピーダンスを上下させるものであり、そのインピーダンスを単調増加または単調減少に変化させる制御値の領域を少なくとも有するものである。また、上記説明では、受信機２が図１で示される構成である場合について説明したが、そうでなくてもよい。受信機２が、図１以外の構成であってもよいことは言うまでもない。例えば、復調回路２３に、フィルタ２２や受信強度取得部２４が含まれると考えてもよい。
【００８６】
以上のように、本実施の形態による制御装置３によれば、前述のように、制御値を制御することによって、受信強度が大きくなるように制御値を制御することができ、アンテナ１と受信機２との間のインピーダンスを適切に整合させることができうる。その制御値の制御において、受信強度に変化がない場合であっても、制御値を変化させることにより、より受信強度の高くなる制御値を探索することができるようになる。例えば、制御値に対して受信強度がフラットである領域と、制御値に対して受信強度が高くなる領域とが存在した場合であって、受信強度がフラットである領域に制御値が存在した場合であっても、制御値を少しずつ変化させることにより、受信強度が高くなる領域を探索することができるようになりうる。また、制御値によって連続的にインピーダンスを制御すると共に、切替信号により制御値を不連続に制御する場合には、インピーダンスをより幅広く制御することができ、より適切にインピーダンスマッチングを行うことができるようになりうる。また、受信強度が第１のしきい値よりも大きい場合にのみ、その切替信号を用いた制御を行うことによって、第１のしきい値を適切に設定することにより、切替信号に応じたインピーダンスの不連続な切替時に受信機２による復調が不能になる事態を回避することができる。また、受信強度が第２のしきい値よりも大きい場合には、受信強度が第２のしきい値よりも小さくなるように制御することにより、増幅器２１の飽和を回避できるようになる。
【００８７】
また、制御値が電圧である場合に、その電圧降下に応じて制御値をｋ倍して出力することにより、インピーダンス整合回路４の適切な制御が可能となる。例えば、インピーダンス整合回路４が図２で示されるものであり、可変キャパシタ４１，４２をバラクタダイオードとした場合には、高電圧側が低容量となる。図２の構成の場合には、可変キャパシタ４１，４２を直列に接続しているため、容量値が小さいときほどインピーダンスは小さい値となる。そのため、電圧降下により電圧が低下している場合には、インピーダンスが下がりきらないことになり、インピーダンスの制御に大きな影響を与えることになる。したがって、そのような場合には、制御値をｋ倍して出力することによって、適切な制御を行うことができるようになる。
【００８８】
なお、本実施の形態において、制御値決定部３２は、受信強度があらかじめ決められた第３のしきい値よりも小さい場合に、受信強度が最も大きくなるように、インピーダンス整合回路４に出力する切替信号を制御してもよい。復調回路２３における復調では、通常、受信強度があるレベルよりも低くなると、復調が困難になる。そのため、第３のしきい値を、受信機２における復調が行えないレベル以下に設定することにより、復調が不能な環境において、最大の受信強度となる切替信号を設定することができ、受信に影響を与えない切替信号の設定が可能となる。なお、その第３のしきい値は、当然、第１のしきい値よりも小さい値である。また、この第３のしきい値を用いた切替信号の制御も、第１のしきい値を用いた場合と同様にして行うことができる。また、この第３のしきい値を用いた切替信号の制御を、第１のしきい値を用いた切替信号の制御と共に行ってもよく、あるいは、第１のしきい値を用いた切替信号の制御に代えて行ってもよい。
【００８９】
また、本実施の形態では、受信強度が第１のしきい値よりも大きい場合に、または、受信強度が第３のしきい値よりも小さい場合に、制御値決定部３２が、切替信号を用いた不連続なインピーダンスの制御を行う場合について説明したが、そうでなくてもよい。例えば、制御値決定部３２は、受信強度の大きさに関係なく、切替信号を用いた不連続なインピーダンスの制御を行ってもよい。
【００９０】
また、本実施の形態において、制御値決定部３２は、最新の制御値に応じた受信強度が最大受信強度と異なる場合の制御の処理を少なくとも行えばよく、それ以外の処理については、行ってもよく、あるいは、行わなくてもよい。例えば、制御値決定部３２は、第２のしきい値を用いた制御を行わなくてもよく、第１のしきい値を用いた制御を行わなくてもよい。また、制御値決定部３２は、最新の制御値に応じた受信強度が最大受信強度である場合に、次の制御値を変化させなくてもよい。すなわち、最新の制御値に応じた受信強度が最大受信強度と異なる場合にのみ、次の制御値を変化させてもよい。例えば、制御値決定部３２が切替信号を用いた制御を行わない場合には、インピーダンス整合回路４は、切替信号に応じてインピーダンスを不連続な段階的に切り替え可能なものでなくてもよい。
【００９１】
また、上記実施の形態において、各処理または各機能は、単一の装置または単一のシステムによって集中処理されることによって実現されてもよく、あるいは、複数の装置または複数のシステムによって分散処理されることによって実現されてもよい。
【００９２】
また、上記実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、あるいは、その情報の受け渡しを行う２個の構成要素が物理的に同じものである場合には、一方の構成要素に対応する処理のフェーズから、他方の構成要素に対応する処理のフェーズに移ることによって行われてもよい。
【００９３】
また、上記実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【００９４】
また、上記実施の形態において、各構成要素等で用いられる情報、例えば、各構成要素が処理で用いるしきい値やアドレス、各種の設定値等の情報がユーザによって変更されてもよい場合には、上記説明で明記していない場合であっても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【００９５】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、記憶部や記録媒体にアクセスしながらプログラムを実行してもよい。なお、上記実施の形態における制御装置３を実現するソフトウェアは、以下のようなプログラムである。つまり、このプログラムは、アンテナと受信機との間に配設され、制御値に対してインピーダンスを単調増加または単調減少に変化させるインピーダンス整合回路を、制御値を用いて制御する制御装置としてコンピュータを機能させるためのプログラムであって、最大の受信強度である最大受信強度と、最大受信強度に応じた制御値である制御極値とが記憶される最大受信強度記憶部にアクセス可能なコンピュータを、最新の制御値に応じた受信強度が最大受信強度よりも大きい場合には、次の制御値を、制御極値に変化値Δを加算した値に決定し、最新の制御値に応じた受信強度が最大受信強度よりも小さく、かつ、そのことが直近のｐ個（ｐは２以上の整数である）以下の制御値について連続している場合には、次の制御値を、制御極値から変化値Δを減算した値に決定し、最新の制御値に応じた受信強度が最大受信強度よりも小さく、かつ、そのことが直近のｐ＋１個の制御値について連続している場合には、次の制御値を制御極値に決定する制御値決定部、受信機における受信強度が最大受信強度以上である場合に、受信強度である最大受信強度と、最大受信強度に対応する制御値である制御極値とを最大受信強度記憶部に蓄積する最大受信強度蓄積部として機能させるためのプログラムである。
【００９６】
なお、上記プログラムにおいて、上記プログラムが実現する機能には、ハードウェアでしか実現できない機能は含まれない。例えば、情報の取得や情報の出力等におけるモデムやインターフェースカードなどのハードウェアでしか実現できない機能は、上記プログラムが実現する機能には少なくとも含まれない。
【００９７】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【００９８】
また、このプログラムを実行するコンピュータは、単数であってもよく、複数であってもよい。すなわち、集中処理を行ってもよく、あるいは分散処理を行ってもよい。
【００９９】
図１１は、上記プログラムを実行して、上記実施の形態による制御装置３におけるプログラムで実現可能な構成要素を実現するコンピュータの外観の一例を示す模式図である。上記実施の形態は、コンピュータハードウェア及びその上で実行されるコンピュータプログラムによって実現されうる。
【０１００】
図１１において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１０１】
図１２は、コンピュータシステム９００の内部構成を示す図である。図１２において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮやＷＡＮ等への接続を提供する図示しないネットワークカードを含んでいてもよい。
【０１０２】
コンピュータシステム９００に、上記実施の形態による制御装置３の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１０３】
プログラムは、コンピュータ９０１に、上記実施の形態による制御装置３の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１０４】
また、本発明は、以上の実施の形態に限定されることなく、種々の変更が可能であり、それらも本発明の範囲内に包含されるものであることは言うまでもない。
【産業上の利用可能性】
【０１０５】
以上より、本発明による制御装置等によれば、送信機能を用いることなくアンテナと受信機とのインピーダンスを整合させられるという効果が得られ、インピーダンス整合回路を制御する装置等として有用である。
【符号の説明】
【０１０６】
１  アンテナ
２  受信機
３  制御装置
４  インピーダンス整合回路
５  自動整合回路
２１  増幅器
２２  フィルタ
２３  復調回路
２４  受信強度取得部
３１  最大受信強度記憶部
３２  制御値決定部
３３  出力部
３４  最大受信強度蓄積部
４１、４２  可変キャパシタ
４３〜４６  インダクタ
４７  スイッチ
１００  受信システム
【図１】
2013145967.tif 000004
【図２】
2013145967.tif 000005
【図３】
2013145967.tif 000006
【図４】
2013145967.tif 000007
【図５】
2013145967.tif 000008
【図６】
2013145967.tif 000009
【図７】
2013145967.tif 000010
【図８】
2013145967.tif 000011
【図９】
2013145967.tif 000012
【図１０】
2013145967.tif 000013
【図１１】
2013145967.tif 000014
【図１２】
2013145967.tif 000015